(57)【要約】【課題】従来の空気調和機では、フィルタから除去されたホコリは、ファンに直接吸引され、ファンに直接ホコリが流入すれば、ファンの翼部前縁等にホコリが堆積し、性能を低下させたり、最終的には翼間が目詰まりして、ホコリの除去ができなくなる恐れがあった。また、翼枚数を減らしたり、翼形状をホコリが堆積しにくい形状に設計することも、ファンの性能低下につながる。  当該発明はフィルタ上のごみを自動的に清掃するフィルタ清掃機能を有し、ファン翼へのホコリの堆積を防いだ空気調和機を提供することを目的とするものである。【解決手段】フィルタ上のホコリを除去するホコリ除去手段と、吸引排気装置があり、前期吸引排気装置は渦流ファンから形成されている。【選択図】図３
2007298210.tif 000002
【特許請求の範囲】
【請求項１】
少なくとも熱交換器と吸入グリルを設けた空気調和機の室内機内部において、前記熱交換器と前記吸入グリルとの間にフィルタを設け、前記フィルタに付着するホコリを除去するホコリ除去手段と、除去したホコリを吸引・排気する吸引排気装置を配した空気調和機であって、前記吸引排気装置はモ−タと渦流ファンと前記渦流ファンを収納する略Ｕ字形のケ−シングとから形成し、前記ケ−シングの吸い込み口を吸い込みダクトを通じて前記ホコリ除去手段と繋ぎ、前記ケ−シングの吹き出し口を室外へ排気する排気ダクトに連通させてホコリを排出できることを特徴とする空気調和機。
【請求項２】
前記ホコリ除去手段として、前記フィルタに付着するホコリを吸引し、移動可能な吸い込みノズルを前記フィルタの風上側に配し、さらに前記吸い込みノズルからのホコリを吸引・排気する前記吸引排気装置を配した特徴とする請求項１記載の空気調和機。
【請求項３】
前記ホコリ除去手段より下流でかつ、前記吸引排気装置の前記渦流ファンより上流部に、室内空気を吸引する開口部およびその開口部を開閉できるダンパ機構を設けるとともに、ホコリ吸引排出時は、前記開口部を閉じ、排気換気時は、前記開口部を開いて、前記開口部、前記渦流ファン、前記排気ダクトの順に空気を経由させて、室内の空気を室外に排気することで、換気することを特徴とする請求項１記載の空気調和機。
【請求項４】
前記吸引排気装置は、空気を流入させる吸入口と空気を流出させる排出口を備えた略U字形のケーシングと、流入した空気を搬送昇圧する複数枚の羽根を有する渦流ファンと、前記吸入口と排出口を隔離するストリッパ部からなることを特徴とする請求項１〜３記載の空気調和機。
【発明の詳細な説明】
【技術分野】
【０００１】
本発明は、空気調和機に係わり、より詳細には、フィルタ上のホコリを自動的に清掃するフィルタ清掃機能に関する。
【背景技術】
【０００２】
従来のこの種の技術としては、図５のように、移動可能な吸い込みノズルをフィルタの風上側に配し、さらに前記吸い込みノズルからのホコリを吸引・排気する吸引排気装置を配し、この吸引排気装置はモ−タを内蔵したシロッコファンと前記シロッコファンを囲むケ−シングとから形成し、前記ケ−シングの吸い込み口を前記吸い込みノズルに連通する吸い込みダクトと繋ぎ、前記ケ−シングの吹き出し口を室外へ排気する排気ダクトに連通させてホコリを排出できるようにしている（例えば、特許文献１参照）。
【特許文献１】特開２００４−３５３９６６号公報
【発明の開示】
【発明が解決しようとする課題】
【０００３】
しかしながら、前記従来の構成は、以下のような課題を有していた。
【０００４】
上記従来構成では、フィルタから除去されたホコリは、ファンに直接吸引される。たとえば、掃除機においては、ファンの直前に各種のホコリ除去装置があり、たまったホコリをユーザーが捨てるのであるが、本装置はフィルタの自動清掃を目的としたものであるため、この種のホコリ除去装置を設ければ、本来の目的を果たせないことになる。
【０００５】
ファンに直接ホコリが流入すれば、ファンの翼部前縁等にホコリが堆積し、性能を低下させたり、最終的には翼間が目詰まりして、ホコリの除去ができなくなる恐れがある。また、翼枚数を減らしたり、翼形状をホコリが堆積しにくい形状に設計することも、ファンの性能低下につながる。
【０００６】
本発明は、前記従来の課題を解決するもので、フィルタ上のホコリを自動的に清掃するフィルタ清掃機能を有し、その吸引排気装置のファン翼へのホコリの堆積を防いだ空気調和機を提供することを目的とする。
【課題を解決するための手段】
【０００７】
前記従来の課題を解決するために、少なくとも熱交換器と吸入グリルを設けた空気調和機の室内機内部において、前記熱交換器と前記吸入グリルとの間にフィルタを設け、前記フィルタに付着するホコリを除去するホコリ除去手段と、除去したホコリを吸引・排気する吸引排気装置を配した空気調和機であって、前記吸引排気装置はモ−タと渦流ファンと前記渦流ファンを収納する略Ｕ字形のケ−シングとから形成し、前記ケ−シングの吸入口を吸い込みダクトを通じて前記ホコリ除去手段と繋ぎ、前記ケ−シングの排出口を室外へ排気する排気ダクトに連通させてホコリを排出できるように構成したものである。
【０００８】
渦流ファンは、一般のファンのようにファン内部翼間を流れが通過することはなく、ファンの回転にともなうようにファン周辺部を流れが通過するのみで、流れとファンの相対速度も小さいため、ファンへのホコリ堆積のないフィルタ清掃装置が実現できるというものである。
【発明の効果】
【０００９】
本発明は、空気調和機に係わり、フィルタ上のごみを自動的に清掃するフィルタ清掃機
能に関し、吸引排気装置のファン翼へのホコリの堆積を防いだ空気調和機を提供することができる。
【発明を実施するための最良の形態】
【００１０】
第１の発明は、少なくとも熱交換器と吸入グリルを設けた空気調和機の室内機内部において、前記熱交換器と前記吸入グリルとの間にフィルタを設け、前記フィルタに付着するホコリを吸引し、移動可能な吸い込みノズルを前記フィルタの風上側に配し、さらに前記吸い込みノズルからのホコリを吸引・排気する前記吸引排気装置を配した空気調和機であって、前記吸引排気装置はモ−タと渦流ファンと前記渦流ファンを収納する略Ｕ字形のケ−シングと、前記吸入口と排出口を隔離するストリッパ部から形成し、前記渦流ファンより上流部に、室内空気を吸引する開口部およびその開口部を開閉できるダンパ機構を設けることで、吸引排気装置のファン翼へのホコリの堆積を防いだ排気換気可能なフィルタ清掃装置が実現できるというものである。
【００１１】
第２の発明は、特に第１の発明のホコリ除去手段として、前記フィルタに付着するホコリを吸引し、移動可能な吸い込みノズルを前記フィルタの風上側に配し、さらに前記吸い込みノズルからのホコリを吸引・排気する前記吸引排気装置を配したもので、この構成をなすことにより、塵埃を自動的に機外へ排出することができる。
【００１２】
第３の発明は、特に第１の発明の室内空気を吸引する開口部およびその開口部を開閉できるダンパ機構をホコリ除去手段より下流でかつ、前記吸引排気装置の前記渦流ファンより上流部に設けるとともに、ホコリ吸引排出時は、前記開口部を閉じ、排気換気時は、前記開口部を開いて、前記開口部、前記渦流ファン、前記排気ダクトの順に空気を経由させて、室内の空気を室外に排気することで換気するもので、この構成をなすことにより、塵埃を自動的に機外へ排出することができるとともに換気もすることができる。
【００１３】
第４の発明は、特に第１の発明の吸引排気装置を、空気を流入させる吸入口と空気を流出させる排出口を備えた略Ｕ字形のケーシングと、流入した空気を搬送昇圧する複数枚の羽根を有する渦流ファンと、前記吸入口と排出口を隔離するストリッパ部から構成したもので、この構成をなすことにより、塵埃が吸引排気装置に絡まるのを防止し、塵埃を確実に機外へ排出することができる。
【００１４】
以下、本発明の実施の形態について図面を参照しながら説明する、なお、この実施の形態によって本発明が限定されるものではない。
【００１５】
（実施の形態１）
図１は、本発明の実施の形態における空気調和機の断面図、図２は同斜視図、図３は吸引排気装置の斜視図、図4は渦流ファンの詳細説明図である。
【００１６】
空気調和機の室内機１の内部に熱交換器２と本体送風ファン３を有し、室内機１のフィルタ４に付着するホコリを吸引し、フィルタ４の左右に動く吸い込みノズル５をフィルタ４の風上側に配し、さらにホコリを吸引・排気する吸引排気装置６を室内機１の側面に配置している。
【００１７】
また、吸い込みノズル５と吸引排気装置６は吸い込みダクト７で繋がれ、吸引排気装置６から屋外につながる排気ダクト８がある。
【００１８】
吸引排気装置６は、空気を流入させる吸入口９と空気を流出させる排出口１０を備えた略Ｕ字形のケーシング１１と、流入した空気を搬送昇圧する複数枚の羽根を有する渦流ファン１２と、前記吸入口９と排出口１０を隔離するストリッパ部１３から形成されている
。
【００１９】
また、吸入口９が吸い込みダクト７に接続され、排出口１０が排気ダクト８に接続される。
【００２０】
次に、動作について説明する。
【００２１】
吸引排気装置６が運転すると、フィルタ４上のホコリは、フィルタ４の上流側にある吸い込みノズル５のフィルタ４側に面して開いた吸引口５１を通って、吸い込みノズル５内に吸い込まれ、以後、吸い込みダクト7を通って、吸入口９から吸引排気装置６内に吸い込まれる。
【００２２】
その後、ホコリは吸引排気装置６内で、渦流ファン１２の回転で昇圧され、排出口１０から排気ダクト８を通って屋外に排出される。
【００２３】
吸い込みノズル５はフィルタ４に沿って、左右に動き、フィルタ４の全面を清掃することができる。
【００２４】
ダンパ機構１６を設けた開口部１７は、上記のホコリ吸引排出時は閉じており、上記のようなホコリの流れ経路を形成する。換気時には、ダンパ機構１６により、開口部１７は開き、ここから、大量の空気を流入することにより、換気風量を増やすことができる。
【００２５】
次に渦流ファン１２の動作について説明する。
【００２６】
すなわち、図４において、前記吸入口９から流入した空気は、前記ケーシング１１内の流路１５に沿って流れる間に、複数枚の羽根１４を有する渦流ファン１２の作用で徐々に昇圧され、前記排出口１０から排出される。
【００２７】
このような渦流ファン１２において、ホコリが図のように吸入口９から流入した場合、空気より重いホコリは遠心力により、流路１５の外側に沿って流れ、一部のホコリが一時的に流れの乱れによって、渦流ファン１２内部に侵入しても、短時間で渦流ファン１２外部に排出されるため、羽根１４へのホコリの付着が起きにくい効果がある。
【産業上の利用可能性】
【００２８】
以上のように、本発明にかかる空気調和機は、少なくとも熱交換器と吸入グリルを設けた空気調和機の室内機内部において、前記熱交換器と前記吸入グリルとの間にフィルタを設け、前記フィルタに付着するホコリを吸引し、移動可能な吸い込みノズルを前記フィルタの風上側に配し、さらに前記吸い込みノズルからのホコリを吸引・排気する前記吸引排気装置を配した空気調和機であって、前記吸引排気装置はモ−タと渦流ファンと前記渦流ファンを収納する略Ｕ字形のケ−シングとから形成し、前記ケーシングの吸入口を吸い込みダクトを通じて前記ホコリ除去手段と繋ぎ、前記ケ−シングの排出口を室外へ排気する排気ダクトに連通させてホコリを排出できるように構成したことで、渦流ファンは、一般のファンのようにファン内部翼間を流れが通過することはなく、ファンの回転にともなうようにファン周辺部を流れが通過するのみで、流れとファンの相対速度も小さいため、ファンへのホコリ堆積のないフィルタ清掃装置が実現できるというものであり、空気調和機の室内機以外に、送風機とフィルタを有する装置一般における、フィルタ清掃装置にも広く適用できる。
【図面の簡単な説明】
【００２９】
【図１】本発明の実施の形態における空気調和機の断面図
【図２】本発明の実施の形態における空気調和機の斜視図
【図３】本発明の実施の形態における吸引排気装置の斜視図
【図４】本発明の実施の形態における渦流ファンの流れ説明図
【図５】従来の吸引排気装置の平面図
【符号の説明】
【００３０】
１  空気調和機室内機
２  熱交換器
３  本体送風ファン
４  フィルタ
５  吸い込みノズル
５１  吸引口
６  吸引排気装置
７  吸い込みダクト
８  排気ダクト
９  吸入口
１０  排出口
１１  ケーシング
１２  渦流ファン
１３  ストリッパ部
１４  羽根
１５  流路
１６  ダンパ機構
１７  開口部
１１４  シロッコファン
１１５  ケーシング
【図１】
2007298210.tif 000003
【図２】
2007298210.tif 000004
【図３】
2007298210.tif 000005
【図４】
2007298210.tif 000006
【図５】
2007298210.tif 000007